(57)【要約】【課題】  どのネットワークアドレス取得方法を用いればよいか分からなくても、接続される環境に合致したネットワークアドレス取得方法を自動的に判別／選別することができるネットワーク接続装置を提供する。【解決手段】  ネットワーク上の論理的な位置を特定する情報であるネットワークアドレスを取得するためのネットワークアドレス取得方法の複数のうちいずれかを用いてネットワークに接続されるネットワーク接続機器は、前記ネットワークアドレス取得方法群のうちいずれかのネットワークアドレス取得方法を用いるために、該ネットワークアドレス取得方法を切り替えるネットワークアドレス取得方法切り替え手段と、前記ネットワークアドレス取得方法切り替え手段により切り替えられたネットワークアドレス取得方法により、前記ネットワークアドレスを取得するネットワークアドレス取得手段とを備えることにより、上記課題の解決を図る。【選択図】      図１
2006261864.tif 000002
【特許請求の範囲】
【請求項１】
ネットワーク上の論理的な位置を特定する情報であるネットワークアドレスを取得するためのネットワークアドレス取得方法の複数のうちいずれかを用いてネットワークに接続されるネットワーク接続機器において、
前記ネットワークアドレス取得方法群のうちいずれかのネットワークアドレス取得方法を用いるために、該ネットワークアドレス取得方法を切り替えるネットワークアドレス取得方法切り替え手段と、
前記ネットワークアドレス取得方法切り替え手段により切り替えられたネットワークアドレス取得方法により、前記ネットワークアドレスを取得するネットワークアドレス取得手段と、
を備えることを特徴とするネットワーク接続機器。
【請求項２】
前記ネットワーク接続機器は、さらに、
前記ネットワークアドレス取得方法切り替え手段により切り替えられる順序を設定するために、前記ネットワークアドレス取得方法群について該順序に対応する優先順位を設定する切り替え順設定手段
を備えることを特徴とする請求項１に記載のネットワーク接続機器。
【請求項３】
前記切り替え順設定手段は、前記ネットワークアドレス取得方法群のうち所定のネットワークアドレス取得方法の前記優先順位を設定する場合、前記ネットワークアドレスを定義することを特徴とする請求項２に記載のネットワーク接続機器。
【請求項４】
前記ネットワーク接続機器は、さらに、
前記ネットワークアドレス取得手段により前記ネットワークアドレスが取得されたか否かの判断を行うネットワークアドレス取得制御手段
を備えることを特徴とする請求項１に記載のネットワーク接続機器。
【請求項５】
前記ネットワークアドレス取得制御手段は、前記判断に基づいて、所定回数または所定時間、前記ネットワークアドレス取得手段に再度前記ネットワークアドレスを取得させることを特徴とする請求項４に記載のネットワーク接続機器。
【請求項６】
前記ネットワークアドレス取得方法切り替え手段は、前記ネットワークアドレス取得制御手段による前記判断に基づいて、前記ネットワークアドレス取得方法を切り替えることを特徴とする請求項２、または４に記載のネットワーク接続機器。
【請求項７】
前記ネットワーク接続機器は、さらに、
前記ネットワークアドレス取得手段による前記ネットワークアドレスの取得状況に関するメッセージを表示させる設定を行うメッセージ設定手段
を備えることを特徴とする請求項１、２、または４に記載のネットワーク接続機器。
【請求項８】
前記メッセージ設定手段は、前記メッセージを表示させるタイミング、該メッセージの内容、及び該メッセージを表示させる時間を設定することを特徴とする請求項７に記載のネットワーク接続機器。
【請求項９】
前記メッセージ設定手段は、前記メッセージを構成する文字列に所定のキーワードが入力された場合、該キーワードに対応する情報に基づく文字列を該キーワードと置換することを特徴とする請求項８に記載のネットワーク接続機器。
【請求項１０】
前記ネットワーク接続機器は、さらに、
全ての前記ネットワークアドレス取得方法を用いて前記ネットワークアドレス取得手段により前記ネットワークアドレスが取得できない場合、手入力により該ネットワークアドレスを入力することを促すメッセージを表示して該手入力により入力させる手入力手段
を備えることを特徴とする請求項１、２、または４に記載のネットワーク接続機器。
【請求項１１】
前記ネットワークアドレスは、インターネットプロトコルアドレスであり、
前記ネットワークアドレス取得方法は、少なくとも、ＩＰアドレスを自動的に割り当てるプロトコル、所定のＩＰアドレス、または初期設定時のＩＰアドレスに基づくものであることを特徴とする請求項１に記載のネットワーク接続機器。
【請求項１２】
ネットワーク上の論理的な位置を特定する情報であるネットワークアドレスを取得するためのネットワークアドレス取得方法の複数のうちいずれかを用いてネットワークに接続されるネットワーク接続機器を該ネットワーク接続する処理を、コンピュータに実行させるネットワーク接続プログラムであって、
前記ネットワークアドレス取得方法群のうちいずれかのネットワークアドレス取得方法を用いるために、該ネットワークアドレス取得方法を切り替えるネットワークアドレス取得方法切り替え処理と、
前記ネットワークアドレス取得方法切り替え処理により切り替えられたネットワークアドレス取得方法により、前記ネットワークアドレスを取得するネットワークアドレス取得処理と、
を、コンピュータに実行させるネットワーク接続プログラム。
【請求項１３】
前記ネットワーク接続プログラムは、さらに、
前記ネットワークアドレス取得方法切り替え処理により切り替えられる順序を設定するのために、該ネットワークアドレス取得方法群について該順序に対応する優先順位を設定する切り替え順設定処理
を、コンピュータに実行させる請求項１２に記載のネットワーク接続プログラム。
【請求項１４】
前記切り替え順設定処理は、前記ネットワークアドレス取得方法群のうち所定のネットワークアドレス取得方法の前記優先順位を設定する場合、前記ネットワークアドレスを定義させる処理を行う
ことを特徴とする請求項１３に記載のネットワーク接続プログラム。
【請求項１５】
前記ネットワーク接続プログラムは、さらに、
前記ネットワークアドレス取得処理により前記ネットワークアドレスが取得されたか否かの判断を行うネットワークアドレス取得制御処理
を、コンピュータに実行させる請求項１２に記載のネットワーク接続プログラム。
【請求項１６】
前記ネットワークアドレス取得制御処理は、前記判断に基づいて、所定回数または所定時間、前記ネットワークアドレス取得処理に再度前記ネットワークアドレスを取得させる処理を行う
ことを特徴とする請求項１５に記載のネットワーク接続プログラム。
【請求項１７】
前記ネットワークアドレス取得方法切り替え処理は、前記ネットワークアドレス取得制御処理による前記判断に基づいて、前記ネットワークアドレス取得方法を切り替える処理を行う
ことを特徴とする請求項１３、または１５に記載のネットワーク接続プログラム。
【請求項１８】
前記ネットワーク接続プログラムは、さらに、
前記ネットワークアドレス取得処理による前記ネットワークアドレスの取得状況に関するメッセージを表示させる設定を行うメッセージ設定処理
を、コンピュータに実行させる請求項１２、１３、または１５に記載のネットワーク接続プログラム。
【請求項１９】
前記メッセージ設定処理は、前記メッセージを表示させるタイミング、該メッセージの内容、及び該メッセージを表示させる時間を設定する処理を行う
ことを特徴とする請求項１８に記載のネットワーク接続プログラム。
【請求項２０】
前記メッセージ設定処理は、前記メッセージを構成する文字列に所定のキーワードが入力された場合、該キーワードに対応する情報に基づく文字列を該キーワードと置換する処理を行う
ことを特徴とする請求項１９に記載のネットワーク接続プログラム。
【請求項２１】
前記ネットワーク接続プログラムは、さらに、
全ての前記ネットワークアドレス取得方法を用いて前記ネットワークアドレス取得処理により前記ネットワークアドレスが取得できない場合、手入力により該ネットワークアドレスを入力することを促すメッセージを表示して該手入力により入力させる手入力処理
を、コンピュータに実行させる請求項１２、１３、または１５に記載のネットワーク接続プログラム。
【請求項２２】
前記ネットワークアドレスは、インターネットプロトコルアドレスであり、
前記ネットワークアドレス取得方法は、少なくとも、ＩＰアドレスを自動的に割り当てるプロトコル、所定のＩＰアドレス、または初期設定時のＩＰアドレスに基づくものである
ことを特徴とする請求項１２に記載のネットワーク接続プログラム。
【請求項２３】
ネットワーク上の論理的な位置を特定する情報であるネットワークアドレスを取得するためのネットワークアドレス取得方法の複数のうちいずれかを用いてネットワークに接続されるネットワーク接続機器を該ネットワーク接続するネットワーク接続方法であって、
前記ネットワークアドレス取得方法群のうちいずれかのネットワークアドレス取得方法を用いるために、該ネットワークアドレス取得方法を切り替え、
前記切り替えられたネットワークアドレス取得方法により、前記ネットワークアドレスを取得する
を行うことを特徴とするネットワーク接続方法。
【請求項２４】
前記ネットワーク接続方法は、さらに、
前記ネットワークアドレス取得方法を切り替える場合、該切り替えられる順序を設定するのために、該ネットワークアドレス取得方法群について該順序に対応する優先順位を設定する
ことを特徴とする請求項２３に記載のネットワーク接続方法。
【請求項２５】
前記ネットワークアドレス取得方法群のうち所定のネットワークアドレス取得方法の前記優先順位を設定する場合、前記ネットワークアドレスの定義する
ことを特徴とする請求項２４に記載のネットワーク接続方法。
【請求項２６】
前記ネットワーク接続方法は、さらに、
前記ネットワークアドレスが取得されたか否かの判断を行う
ことを特徴とする請求項２３に記載のネットワーク接続方法。
【請求項２７】
前記ネットワークアドレスが取得されたか否かの判断に基づいて、所定回数または所定時間、再度前記ネットワークアドレスを取得する
ことを特徴とする請求項２６に記載のネットワーク接続方法。
【請求項２８】
前記ネットワークアドレスが取得されたか否かの判断に基づいて、前記ネットワークアドレス取得方法を切り替える
ことを特徴とする請求項２４、または２６に記載のネットワーク接続方法。
【請求項２９】
前記ネットワーク接続方法は、さらに、
前記ネットワークアドレスを取得した結果に基づいて、該ネットワークアドレスの取得状況に関するメッセージを表示させる設定をする
ことを行うことを特徴とする請求項２３、２４、または２６に記載のネットワーク接続方法。
【請求項３０】
前記ネットワークアドレスの取得状況に関するメッセージを表示させる設定をする場合、該メッセージを表示させるタイミング、該メッセージの内容、及び該メッセージを表示させる時間を設定する
ことを特徴とする請求項２９に記載のネットワーク接続方法。
【請求項３１】
前記メッセージを構成する文字列に所定のキーワードが入力された場合、該キーワードに対応する情報に基づく文字列を該キーワードと置換する
ことを特徴とする請求項３０に記載のネットワーク接続方法。
【請求項３２】
前記ネットワーク接続方法は、さらに、
全ての前記ネットワークアドレス取得方法を用いて前記ネットワークアドレスが取得できない場合、手入力により該ネットワークアドレスを入力することを促すメッセージを表示して該手入力により入力させる
ことを行うことを特徴とする請求項２３、２４、または２６に記載のネットワーク接続方法。
【請求項３３】
前記ネットワークアドレスは、インターネットプロトコルアドレスであり、
前記ネットワークアドレス取得方法は、少なくとも、ＩＰアドレスを自動的に割り当てるプロトコル、所定のＩＰアドレス、または初期設定時のＩＰアドレスに基づくものである
ことを特徴とする請求項２３に記載のネットワーク接続方法。
【発明の詳細な説明】
【技術分野】
【０００１】
本発明は、パソコンや機器間で通信を行う際に必要となる各機器のＩＰアドレスの設定に関する。
【背景技術】
【０００２】
コンピュータや機器にＩＰ（Ｉｎｔｅｒｎｅｔ  Ｐｒｏｔｏｃｏｌ）アドレスを設定する方法として、
（１）ネットワーク上にＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバがある場合、ＤＨＣＰを使ってＩＰアドレスを設定する方法、
（２）ＤＨＣＰサーバがなくても自動プライベートＩＰアドレス指定（ＡＰＩＰＡ（Ａｕｔｏｍａｔｉｃ  Ｐｒｉｖａｔｅ  ＩＰ  Ａｄｄｒｅｓｓｉｎｇ））によりＩＰアドレスを割り当てる方法、
（３）その他、手動でＩＰアドレスを入力する方法、工場出荷時に設定したＩＰアドレスを使う方法がある。
【０００３】
ＤＨＣＰとは、インターネットに一時的に接続するコンピュータに、ＩＰアドレス等の情報を自動的に割り当てるプロトコルのことである。ＤＨＣＰサーバとは、ＤＨＣＰを使って同一ネットワークにぶら下がる端末にＩＰアドレスを付与するサーバである。
【０００４】
ＡＰＩＰＡとは、ＤＨＣＰサーバがなくても、自動的にプライベートなＩＰアドレスを割り当てる方法である。
ＩＰアドレスの手動設定とは、ＩＰアドレスをユーザが手入力して設定する方法である。このとき、手入力するＩＰアドレスは、他機器で使われてはならない。
【０００５】
図３０は、従来におけるＤＨＣＰサーバ１０１がある場合のＩＰアドレスの取得方法を説明するためのネットワーク構成図である。通常、ＤＨＣＰサーバ１０１がある場合、ＰＣ（パーソナルコンピュータ）１００へＩＰアドレスを付与する際に、ＰＣ（パーソナルコンピュータ）のＩＰアドレス決定は、ＤＨＣＰで行われる。その手順は、
（１）ＩＰアドレスを取得したい端末（ＰＣや医療機器）が、ＩＰアドレス割り当てのリクエストをネットワーク（ＬＡＮ１０２）にブロードキャストする（図３０の（１））。
【０００６】
（２）そのリクエストを受けたＤＨＣＰサーバ１０１が、リクエスト発行元の端末にＤＨＣＰホスト情報を含めて返す。
（３）ＤＨＣＰサーバ１０１は、その端末に割り当てるＩＰアドレスを割り当て済みＩＰアドレスとしてサーバ内に登録する。その端末はサーバよりＩＰアドレスを取得する（図３０の（２））。
【０００７】
図３１は、従来におけるＤＨＣＰサーバ１０１がない場合のＩＰアドレスの取得方法を説明するためのネットワーク構成図である。ネットワーク上にＤＨＣＰサーバがない場合、ＩＰアドレスを取得したい端末が、ＩＰアドレス割り当てのリクエストをネットワーク（ＬＡＮ１０２）にブロードキャストをしても、そのリクエストに対して返答する装置が存在しないので、ＤＨＣＰでＩＰアドレスを設定するようにしていた端末はＩＰアドレスを設定することができない。そのため、その端末はネットワークを利用することができない。
【０００８】
図３２は、従来における手動でＩＰアドレスを設定する方法を説明するためのネットワーク構成図である。図３１のような場合には、端末は手入力等でＩＰアドレスを設定する。それにより、その端末はネットワークを利用することができる。
【０００９】
ところで、ＡＰＩＰＡによる自動ＩＰアドレス設定付番に対応したネットワークかどうかを判断し、ＩＰアドレスを付与する機構を備えたものもある（例えば、特許文献１）。
【特許文献１】特開２００３−２７３８７３号公報
【発明の開示】
【発明が解決しようとする課題】
【００１０】
上述のように、ＤＨＣＰサーバが存在する環境なのかどうかわからない場合、ＤＨＣＰを用いるべきかまたはＩＰアドレスを手入力して設定すべきかをシステム管理者に問い合わせていたため、設定を行うまでに時間がかかっていた。
【００１１】
また、医療機器のように使用場所が変わる製品の場合には、使用場所の変更に応じてシステム管理者への問い合わせが必要となっていた。
上記の課題に鑑み、どのネットワークアドレス取得方法を用いればよいか分からなくても、接続される環境に合致したネットワークアドレス取得方法を自動的に判別／選別することができるネットワーク接続装置、そのプログラム、及びその方法を提供する。
【００１２】
また、医療機器をネットワークに接続する際に、ネットワークアドレスを取得する方法の設定に要する時間と手間を省くことができるネットワーク接続装置、そのプログラム、及びその方法を提供する。
【課題を解決するための手段】
【００１３】
上記課題は、特許請求の範囲の請求項１に記載の発明によれば、ネットワーク上の論理的な位置を特定する情報であるネットワークアドレスを取得するためのネットワークアドレス取得方法の複数のうちいずれかを用いてネットワークに接続されるネットワーク接続機器において、前記ネットワークアドレス取得方法群のうちいずれかのネットワークアドレス取得方法を用いるために、該ネットワークアドレス取得方法を切り替えるネットワークアドレス取得方法切り替え手段と、前記ネットワークアドレス取得方法切り替え手段により切り替えられたネットワークアドレス取得方法により、前記ネットワークアドレスを取得するネットワークアドレス取得手段と、を備えることを特徴とするネットワーク接続機器を提供することによって達成できる。
【００１４】
上記課題は、特許請求の範囲の請求項２に記載の発明によれば、前記ネットワーク接続機器は、さらに、前記ネットワークアドレス取得方法切り替え手段により切り替えられる順序を設定するために、該ネットワークアドレス取得方法群について該順序に対応する優先順位を設定する切り替え順設定手段を備えることを特徴とする請求項１に記載のネットワーク接続機器を提供することによって達成できる。
【００１５】
上記課題は、特許請求の範囲の請求項３に記載の発明によれば、前記切り替え順設定手段は、前記ネットワークアドレス取得方法群のうち所定のネットワークアドレス取得方法の前記優先順位を設定する場合、前記ネットワークアドレスを定義することを特徴とする請求項２に記載のネットワーク接続機器を提供することによって達成できる。
【００１６】
上記課題は、特許請求の範囲の請求項４に記載の発明によれば、前記ネットワーク接続機器は、さらに、前記ネットワークアドレス取得手段により前記ネットワークアドレスが取得されたか否かの判断を行うネットワークアドレス取得制御手段を備えることを特徴とする請求項１に記載のネットワーク接続機器を提供することによって達成できる。
【００１７】
上記課題は、特許請求の範囲の請求項５に記載の発明によれば、前記ネットワークアドレス取得制御手段は、前記判断に基づいて、所定回数または所定時間、前記ネットワークアドレス取得手段に再度前記ネットワークアドレスを取得させることを特徴とする請求項４に記載のネットワーク接続機器を提供することによって達成できる。
【００１８】
上記課題は、特許請求の範囲の請求項６に記載の発明によれば、前記ネットワークアドレス取得方法切り替え手段は、前記ネットワークアドレス取得制御手段による前記判断に基づいて、前記ネットワークアドレス取得方法を切り替えることを特徴とする請求項２、または４に記載のネットワーク接続機器を提供することによって達成できる。
【００１９】
上記課題は、特許請求の範囲の請求項７に記載の発明によれば、前記ネットワーク接続機器は、さらに、前記ネットワークアドレス取得手段による前記ネットワークアドレスの取得状況に関するメッセージを表示させる設定を行うメッセージ設定手段を備えることを特徴とする請求項１、２、または４に記載のネットワーク接続機器を提供することによって達成できる。
【００２０】
上記課題は、特許請求の範囲の請求項８に記載の発明によれば、前記メッセージ設定手段は、前記メッセージを表示させるタイミング、該メッセージの内容、及び該メッセージを表示させる時間を設定することを特徴とする請求項７に記載のネットワーク接続機器を提供することによって達成できる。
【００２１】
上記課題は、特許請求の範囲の請求項９に記載の発明によれば、前記メッセージ設定手段は、前記メッセージを構成する文字列に所定のキーワードが入力された場合、該キーワードに対応する情報に基づく文字列を該キーワードと置換することを特徴とする請求項８に記載のネットワーク接続機器を提供することによって達成できる。
【００２２】
上記課題は、特許請求の範囲の請求項１０に記載の発明によれば、前記ネットワーク接続機器は、さらに、全ての前記ネットワークアドレス取得方法を用いて前記ネットワークアドレス取得手段により前記ネットワークアドレスが取得できない場合、手入力により該ネットワークアドレスを入力することを促すメッセージを表示して該手入力により入力させる手入力手段を備えることを特徴とする請求項１、２、または４に記載のネットワーク接続機器を提供することによって達成できる。
【００２３】
上記課題は、特許請求の範囲の請求項１１に記載の発明によれば、前記ネットワークアドレスは、インターネットプロトコルアドレスであり、前記ネットワークアドレス取得方法は、少なくとも、ＩＰアドレスを自動的に割り当てるプロトコル、所定のＩＰアドレス、または初期設定時のＩＰアドレスに基づくものであることを特徴とする請求項１に記載のネットワーク接続機器を提供することによって達成できる。
【００２４】
上記課題は、特許請求の範囲の請求項１２に記載の発明によれば、ネットワーク上の論理的な位置を特定する情報であるネットワークアドレスを取得するためのネットワークアドレス取得方法の複数のうちいずれかを用いてネットワークに接続されるネットワーク接続機器を該ネットワーク接続する処理を、コンピュータに実行させるネットワーク接続プログラムであって、前記ネットワークアドレス取得方法群のうちいずれかのネットワークアドレス取得方法を用いるために、該ネットワークアドレス取得方法を切り替えるネットワークアドレス取得方法切り替え処理と、前記ネットワークアドレス取得方法切り替え処理により切り替えられたネットワークアドレス取得方法により、前記ネットワークアドレスを取得するネットワークアドレス取得処理と、を、コンピュータに実行させるネットワーク接続プログラムを提供することによって達成できる。
【００２５】
上記課題は、特許請求の範囲の請求項１３に記載の発明によれば、前記ネットワーク接続プログラムは、さらに、前記ネットワークアドレス取得方法切り替え処理により切り替えられる順序を設定するのために、前記ネットワークアドレス取得方法群について該順序に対応する優先順位を設定する切り替え順設定処理を、コンピュータに実行させる請求項１２に記載のネットワーク接続プログラムを提供することによって達成できる。
【００２６】
上記課題は、特許請求の範囲の請求項１４に記載の発明によれば、前記切り替え順設定処理は、前記ネットワークアドレス取得方法群のうち所定のネットワークアドレス取得方法の前記優先順位を設定する場合、前記ネットワークアドレスを定義させる処理を行うことを特徴とする請求項１３に記載のネットワーク接続プログラムを提供することによって達成できる。
【００２７】
上記課題は、特許請求の範囲の請求項１５に記載の発明によれば、前記ネットワーク接続プログラムは、さらに、前記ネットワークアドレス取得処理により前記ネットワークアドレスが取得されたか否かの判断を行うネットワークアドレス取得制御処理を、コンピュータに実行させる請求項１２に記載のネットワーク接続プログラムを提供することによって達成できる。
【００２８】
上記課題は、特許請求の範囲の請求項１６に記載の発明によれば、前記ネットワークアドレス取得制御処理は、前記判断に基づいて、所定回数または所定時間、前記ネットワークアドレス取得処理に再度前記ネットワークアドレスを取得させる処理を行うことを特徴とする請求項１５に記載のネットワーク接続プログラムを提供することによって達成できる。
【００２９】
上記課題は、特許請求の範囲の請求項１７に記載の発明によれば、前記ネットワークアドレス取得方法切り替え処理は、前記ネットワークアドレス取得制御処理による前記判断に基づいて、前記ネットワークアドレス取得方法を切り替える処理を行うことを特徴とする請求項１３、または１５に記載のネットワーク接続プログラムを提供することによって達成できる。
【００３０】
上記課題は、特許請求の範囲の請求項１８に記載の発明によれば、前記ネットワーク接続プログラムは、さらに、前記ネットワークアドレス取得処理による前記ネットワークアドレスの取得状況に関するメッセージを表示させる設定を行うメッセージ設定処理を、コンピュータに実行させる請求項１２、１３、または１５に記載のネットワーク接続プログラムを提供することによって達成できる。
【００３１】
上記課題は、特許請求の範囲の請求項１９に記載の発明によれば、前記メッセージ設定処理は、前記メッセージを表示させるタイミング、該メッセージの内容、及び該メッセージを表示させる時間を設定する処理を行うことを特徴とする請求項１８に記載のネットワーク接続プログラムを提供することによって達成できる。
【００３２】
上記課題は、特許請求の範囲の請求項２０に記載の発明によれば、前記メッセージ設定処理は、前記メッセージを構成する文字列に所定のキーワードが入力された場合、該キーワードに対応する情報に基づく文字列を該キーワードと置換する処理を行うことを特徴とする請求項１９に記載のネットワーク接続プログラムを提供することによって達成できる。
【００３３】
上記課題は、特許請求の範囲の請求項２１に記載の発明によれば、前記ネットワーク接続プログラムは、さらに、全ての前記ネットワークアドレス取得方法を用いて前記ネットワークアドレス取得処理により前記ネットワークアドレスが取得できない場合、手入力により該ネットワークアドレスを入力することを促すメッセージを表示して該手入力により入力させる手入力処理を、コンピュータに実行させる請求項１２、１３、または１５に記載のネットワーク接続プログラムを提供することによって達成できる。
【００３４】
上記課題は、特許請求の範囲の請求項２２に記載の発明によれば、前記ネットワークアドレスは、インターネットプロトコルアドレスであり、前記ネットワークアドレス取得方法は、少なくとも、ＩＰアドレスを自動的に割り当てるプロトコル、所定のＩＰアドレス、または初期設定時のＩＰアドレスに基づくものであることを特徴とする請求項１２に記載のネットワーク接続プログラムを提供することによって達成できる。
【００３５】
上記課題は、特許請求の範囲の請求項２３に記載の発明によれば、ネットワーク上の論理的な位置を特定する情報であるネットワークアドレスを取得するためのネットワークアドレス取得方法の複数のうちいずれかを用いてネットワークに接続されるネットワーク接続機器を該ネットワーク接続するネットワーク接続方法であって、前記ネットワークアドレス取得方法群のうちいずれかのネットワークアドレス取得方法を用いるために、該ネットワークアドレス取得方法を切り替え、前記切り替えられたネットワークアドレス取得方法により、前記ネットワークアドレスを取得することを特徴とするネットワーク接続方法を提供することによって達成できる。
【００３６】
上記課題は、特許請求の範囲の請求項２４に記載の発明によれば、前記ネットワーク接続方法は、さらに、前記ネットワークアドレス取得方法を切り替える場合、該切り替えられる順序を設定するのために、該ネットワークアドレス取得方法群について該順序に対応する優先順位を設定することを特徴とする請求項２３に記載のネットワーク接続方法を提供することによって達成できる。
【００３７】
上記課題は、特許請求の範囲の請求項２５に記載の発明によれば、前記ネットワークアドレス取得方法群のうち所定のネットワークアドレス取得方法の前記優先順位を設定する場合、前記ネットワークアドレスの定義することを特徴とする請求項２４に記載のネットワーク接続方法を提供することによって達成できる。
【００３８】
上記課題は、特許請求の範囲の請求項２６に記載の発明によれば、前記ネットワーク接続方法は、さらに、前記ネットワークアドレスが取得されたか否かの判断を行うことを特徴とする請求項２３に記載のネットワーク接続方法を提供することによって達成できる。
【００３９】
上記課題は、特許請求の範囲の請求項２７に記載の発明によれば、前記ネットワークアドレスが取得されたか否かの判断に基づいて、所定回数または所定時間、再度前記ネットワークアドレスを取得することを特徴とする請求項２６に記載のネットワーク接続方法を提供することによって達成できる。
【００４０】
上記課題は、特許請求の範囲の請求項２８に記載の発明によれば、前記ネットワークアドレスが取得されたか否かの判断に基づいて、前記ネットワークアドレス取得方法を切り替えることを特徴とする請求項２４、または２６に記載のネットワーク接続方法を提供することによって達成できる。
【００４１】
上記課題は、特許請求の範囲の請求項２９に記載の発明によれば、前記ネットワーク接続方法は、さらに、前記ネットワークアドレスを取得した結果に基づいて、該ネットワークアドレスの取得状況に関するメッセージを表示させる設定をすることを行うことを特徴とする請求項２３、２４、または２６に記載のネットワーク接続方法を提供することによって達成できる。
【００４２】
上記課題は、特許請求の範囲の請求項３０に記載の発明によれば、前記ネットワークアドレスの取得状況に関するメッセージを表示させる設定をする場合、該メッセージを表示させるタイミング、該メッセージの内容、及び該メッセージを表示させる時間を設定することを特徴とする請求項２９に記載のネットワーク接続方法を提供することによって達成できる。
【００４３】
上記課題は、特許請求の範囲の請求項３１に記載の発明によれば、前記メッセージを構成する文字列に所定のキーワードが入力された場合、該キーワードに対応する情報に基づく文字列を該キーワードと置換することを特徴とする請求項３０に記載のネットワーク接続方法を提供することによって達成できる。
【００４４】
上記課題は、特許請求の範囲の請求項３２に記載の発明によれば、前記ネットワーク接続方法は、さらに、全ての前記ネットワークアドレス取得方法を用いて前記ネットワークアドレスが取得できない場合、手入力により該ネットワークアドレスを入力することを促すメッセージを表示して該手入力により入力させることを行うことを特徴とする請求項２３、２４、または２６に記載のネットワーク接続方法を提供することによって達成できる。
【００４５】
上記課題は、特許請求の範囲の請求項３３に記載の発明によれば、前記ネットワークアドレスは、インターネットプロトコルアドレスであり、前記ネットワークアドレス取得方法は、少なくとも、ＩＰアドレスを自動的に割り当てるプロトコル、所定のＩＰアドレス、または初期設定時のＩＰアドレスに基づくものであることを特徴とする請求項２３に記載のネットワーク接続方法を提供することによって達成できる。
【発明の効果】
【００４６】
本発明を用いることにより、機器自身がＤＨＣＰ、手入力済みの固定ＩＰアドレス、デフォルトのＩＰアドレスを順に確認して、例えば自宅や病院、会社などの異なるネットワーク環境に合うＩＰアドレスを機器に設定することができる。このため、機器の利用者は接続先を意識しないで済む。また、ＩＰアドレス設定に要する時間と手間を短縮することができる。
【発明を実施するための最良の形態】
【００４７】
＜第１の実施形態＞
本実施形態では、機器にＩＰアドレスを設定する方法に関して、優先順位をつける。これに基づき、ノートパソコンのようなＰＣを自宅と会社のように異なるネットワーク環境で共有使用するときや、例えば病院の４階と５階のように一般的にセグメントの異なるネットワークに同一医療機器を繋ぐときに、ＩＰアドレスの取得方法を自動で切り替える。
【００４８】
ここで、セグメントとは、ネットワークをいくつかに分けるときの１つの区切りの領域を示す。また、数百台のＰＣを同一のネットワークに繋ぐとき、いくつかのＰＣをグループ化するために区切った１区切りを示す。それでは、以下に、本実施形態について説明する。
【００４９】
図１は、本実施形態におけるシステム構成の概要を示す。本実施形態におけるシステムは、主として、医療機器端末１、ＰＣ端末９、ＤＨＣＰサーバ７、及びこれらを接続する院内ＬＡＮ８から構成される。医療機器端末１は、ＤＨＣＰサーバ７と同じＬＡＮ８に接続される。なお、ＤＨＣＰサーバ７は、画像サーバと兼用のものでもよい。
【００５０】
医療機器端末１は、ＩＰアドレス取得手段２、ＩＰアドレス取得方法切り替え手段３、ＩＰアドレス取得制御手段４、切り替え順設定手段５、記憶手段６を含んでいる。
医療機器端末１のハードウェア構成は、少なくとも制御装置（ＣＰＵ）、記憶装置（ハードディスク、ＲＡＭ、ＲＯＭ等の記憶手段）、通信インターフェース、入出力インターフェース、及びこれらを接続するバス等から構成されている。また、医療機器端末１は、医療現場において用いられるため、それぞれの用途に特化した機能をさらに備えていてもよい。通信インターフェースは、有線または無線でネットワークへ接続することができる。
【００５１】
本発明にかかるプログラムが記憶装置に格納されており、そのプログラムが制御装置に読み出されて後述するように実行される。
切り替え順設定手段５では、ＩＰアドレスの取得方法の優先順位を設定する。ＩＰアドレスの取得方法としては、例えば、ＤＨＣＰ設定、固定ＩＰアドレス（手入力）、工場出荷時に設定されたデフォルトＩＰ（例えば、１９２．１６８．１．１０）がある。切り替え順設定手段５で設定された内容は、記憶手段６へ記憶される。
【００５２】
ＩＰアドレス取得方法切り替え手段３では、切り替え順設定手段５で設定された優先順位の取得方法に切り替える。ＩＰアドレス取得手段２は、ＩＰアドレス取得方法切り替え手段３により選択されたＩＰアドレス取得方法で、医療端末機器１のＩＰアドレスを取得する。
【００５３】
ＩＰアドレス取得制御手段４は、ＩＰアドレス取得の成否が決まるまで、ＩＰアドレス取得手続きをリトライしたり、一定時間後にＩＰアドレス取得処理の中断（タイムアウト）したりする。記憶手段６は、少なくとも上記の切り替え順設定手段５で設定された内容や、以下に示すフローに基づくプログラム等が記憶されている。
【００５４】
本実施形態において、ＩＰアドレス取得方法切り替え手段３は、ＩＰアドレス取得方法の妥当性を判別しながら、切り替え順設定手段５で設定された順番に従って切り替えていく。これについて、図２のフロー、及び図３〜図５を用いて説明する。
【００５５】
図２は、本実施形態におけるＩＰアドレスの取得処理のフローを示す。本実施形態では、医療機器端末１に外部機器（例えば、ＰＣ端末、携帯端末  等）を接続して、その外部機器から医療機器端末１の記憶手段６に記憶されている所定のプログラムを起動させる命令をする。そうすると、その命令を受信した医療機器端末１の制御装置は、記憶手段６から本実施形態にかかるプログラムを読み出し、このプログラムを起動させる。このプログラムを読み込んだ制御装置が図２のフローに従い、処理を実行する。なお、外部機器のモニタ上に以下で説明する画面が表示される。
【００５６】
なお、医療機器端末１に情報入力手段（キーボード、マウス、ポインティングディバイス、タッチパネル等）や表示手段（ディスプレイ等）を設け、医療機器端末１上で以下の操作を行って、ＩＰアドレス取得の設定を行っても良い。
【００５７】
図３は、本実施形態におけるＩＰアドレス取得方法設定ウィンドウ１０を示す。ＩＰアドレス取得方法設定ウィンドウ１０は、切り替え順設定手段５に相当するものである。ＩＰアドレス取得方法設定ウィンドウ１０は、設定方法一覧１１、ＯＫボタン１２、ＣＡＮＣＥＬボタン１３から構成される。設定方法一覧１１はリストボックス「設定方法」１１ａ、テキストフィールド「ＩＰアドレス」１１ｂから構成される。
【００５８】
リストボックス「設定方法」１１ａでは、ＩＰアドレスを設定する方法をリストボックスから選択することができる。本実施形態では、リストボックス内には「ＤＨＣＰ」、「固定ＩＰアドレス」（リストボックスの表示部分には「固定ＩＰ」と表示される）、「工場出荷時の固定ＩＰアドレス」（リストボックスの表示部分には「工場出荷」と表示される）がある。
【００５９】
テキストフィールド「ＩＰアドレス」１１ｂには、リストボックス「設定方法」１１ａで所定の設定方法が選択された場合、ＩＰアドレスを直接入力することができる。また、
リストボックス「設定方法」１１ａで所定の設定方法が選択された場合、その設定に対応して予め設定されたＩＰアドレスが表示される。
【００６０】
ＯＫボタン１２を押下すると、設定方法一覧１１の変更を更新することができる。その更新した設定情報は記憶手段６に記憶される。ＣＡＮＣＥＬボタン１３を押下すると、設定方法一覧１１の変更をキャンセルすることができる。
【００６１】
では、図２のフローの説明を行う。ＩＰアドレス取得方法設定ウィンドウ１０を用いて、まず、ＩＰアドレスの切り替え順の設定を行う（ステップ１、以下ステップを「Ｓ」と称する）。ここでは、設定方法一覧１１において、ＩＰアドレスの取得方法の切り替え順（優先順位）を、例えば「１：ＤＨＣＰ」、「２：固定ＩＰアドレス」、「３：工場出荷時の固定ＩＰアドレス」のように、各レコードのリストボックス「設定方法」１１ａを設定する。優先順位は、設定方法一覧１１の上位のレコードほど高い。
【００６２】
その外部機器のモニタに表示されたＩＰアドレス取得方法設定ウィンドウ１０の設定方法一覧１１の１行目から３行目のリストボックス「設定方法」１１ａに、ＩＰアドレス取得方法を入力する。ここでは、上位レコードから「１：ＤＨＣＰ」、「２：固定ＩＰアドレス」、「３：工場出荷時の固定ＩＰアドレス」の順でリストボックス「設定方法」１１ａが選択されたとする（図４参照）。
【００６３】
これらの設定は外部機器の入力手段から行うが、医療機器端末１が入力手段（キーボード、マウス等）や表示手段（ディスプレイ等）を有するときは、医療機器端末１から直接ＩＰアドレス取得方法の設定を入力させても良い。
【００６４】
図４は、リストボックス「設定方法」１１ａでＩＰアドレス取得方法を選択したときのＩＰアドレス取得方法設定ウィンドウ１０の表示例を示す。「ＤＨＣＰ」のようなＩＰアドレスを入力する必要のない設定方法がリストボックス「設定方法」１１ａで選択された場合、テキストフィールド「ＩＰアドレス」１１ｂにＩＰアドレスが入力できない状態にする。
【００６５】
工場出荷時に設定され、変更できない形でＩＰアドレスが入力されている設定方法である「工場出荷」（工場出荷時の固定ＩＰアドレス）がリストボックス「設定方法」１１ａで選択された場合、テキストフィールド「ＩＰアドレス」１１ｂにその設定済みのＩＰアドレスを変更できない状態で表示させる。
【００６６】
「固定ＩＰ」（固定ＩＰアドレス）のような入力したＩＰアドレスで設定を試みる設定方法がリストボックス「設定方法」１１ａで選択された場合、テキストフィールド「ＩＰアドレス」１１ｂにＩＰアドレスをＩＰｖ４（３２ｂｉｔ）、若しくはＩＰｖ６（１２８ｂｉｔ）形式で入力することができる。ＩＰｖ４またはＩＰｖ６形式でないＩＰアドレスをテキストフィールド「ＩＰアドレス」１１ｂに入力して、ＯＫボタン１２を押下した場合、図５に示すエラーメッセージが表示される。
【００６７】
なお、ＩＰｖ４とは、ＩＰアドレスを例えば１９２．１６８．１０．１のような８ビットの１０進数（数字０〜２５５）を４つの区切りにし、合計で３２ｂｉｔのアドレス空間で表現する方法をいう。ＩＰｖ６とは、ＩＰアドレスを例えば３ａｅ３：９０ａ０：ｂｄ０５：０１ｄ２：２８８ａ：１ｆｃ０：０００１：１０ｅｅのような、６つの区切りに分けて、各区切りを１６ｂｉｔ単位で表現する方法であり、合計で１２８ｂｉｔのアドレス空間で表現される。
【００６８】
さて、図４を見てみると、設定方法一覧１１の１行目にはリストボックス「設定方法」１１ａで「ＤＨＣＰ」が選択されている。また、設定方法一覧１１の２行目にはリストボックス「設定方法」１１ａで「固定ＩＰ」が選択されている。
【００６９】
また、設定方法一覧１１の３行目にはリストボックス「設定方法」１１ａで「工場出荷」が選択されて、テキストフィールド「ＩＰアドレス」１１ｂに設定済みのＩＰアドレスが変更不可状態で表示されている。
【００７０】
図５は、本実施形態におけるエラーメッセージの一例を示す。メッセージウィンドウ１４には、「「入力したＩＰアドレス」が不適切です。」旨のエラーメッセージが表示される。ＯＫボタン１５を押下すると、メッセージウィンドウ１４は閉じる。
【００７１】
次に、医療機器端末１の制御装置は、記憶手段６からＳ１で登録された「切り替え順」を取得する（Ｓ２）。すなわち、制御装置は、切り替え順設定手段５で設定されたＩＰアドレス取得方法の切り替え順情報（設定方法一覧１１に設定された情報）を記憶手段６から読み出す。
【００７２】
次に、制御装置は、Ｓ２で読み込んだＩＰアドレス取得方法のうち優先順位の最も高いものを判別する（Ｓ３）。本実施形態では、Ｓ１で設定したように、優先順位の最も高いＩＰアドレス取得方法として「ＤＨＣＰ」が設定されていることを制御装置は判別する。
【００７３】
このとき、制御装置は、所定のメッセージをネットワークにブロードキャストする（Ｓ４）。例えば、図４のように「手順１：ＤＨＣＰ、手順２：固定ＩＰアドレス、手順３：工場出荷時の固定ＩＰアドレス」の順で設定方法を切り替えるように設定した場合、最初にＩＰアドレス取得手段２はＤＨＣＰサーバの有無を確認するメッセージをネットワークにブロードキャストする。
【００７４】
ＤＨＣＰサーバから確認メッセージに対する返答がないとき（Ｓ５で「ＮＯ」へ進む）は、リトライ回数分確認メッセージをブロードキャストする（Ｓ４〜Ｓ６を繰り返す）。ＤＨＣＰサーバから確認メッセージに対する返答メッセージを受信した場合には（Ｓ５で「ＹＥＳ」へ進む）、制御装置は、ＩＰアドレスの取得に制御したと判断して本フローを終了する（Ｓ１３）。
【００７５】
最後までＤＨＣＰサーバから返答メッセージを受信しなかった場合、制御装置はＤＨＣＰを用いてＩＰアドレスを設定（手順１）することを止め（Ｓ６で「ＹＥＳ」へ進む）、手順２の手入力済みのＩＰアドレスを用いてＩＰアドレス取得を試みる。その場合、制御装置は、Ｓ２で読み込んだＩＰアドレス取得方法のうち２番目に優先順位の高いものを判別する。本実施形態では、Ｓ１で設定したように、２番目に優先順位の高いＩＰアドレス取得方法として「固定ＩＰアドレス」が設定されていることを制御装置は判別する（Ｓ７）。
【００７６】
そうすると、制御装置は固定ＩＰアドレスとして登録されているＩＰアドレスを読み込んで設定する。その後、制御装置は、医療機器端末１から所定のサーバ（ホストコンピュータ）にＰｉｎｇ（ネットワーク上で、あるＩＰアドレスを設定された機器が存在するかどうかを問い合わせるコマンドの１つ）などのコマンドを送信する（Ｓ８）。
【００７７】
そのサーバからＰｉｎｇコマンドに対する返答が得られれば（Ｓ９で「ＹＥＳ」へ進む）、ＩＰアドレスの取得に成功したと判断する（Ｓ１３）。
Ｓ９において、そのサーバからのＰｉｎｇコマンドに対する返答が無い場合や、固定ＩＰアドレスにＩＰアドレス（値）が入力されていなかった場合には（Ｓ９で「Ｎｏ」へ進む）、制御装置は手順３を使ってＩＰアドレスの取得を行う。
【００７８】
その場合、制御装置は、Ｓ２で読み込んだＩＰアドレス取得方法のうち３番目に優先順位の高いものを判別する。本実施形態では、Ｓ１で設定したように、３番目に優先順位の高いＩＰアドレス取得方法として「工場出荷時のＩＰアドレス」が設定されていることを制御装置は判別する（Ｓ１０）。
【００７９】
設定方法３についてもＳ８と同様に、制御装置はＩＰアドレスの設定を行った後に、サーバにＰｉｎｇを送信する（Ｓ１１）。そのサーバよりＰｉｎｇコマンドに対する返答が得られれば（Ｓ１２で「ＹＥＳ」へ進む）、ＩＰアドレスの取得に成功したと判断して（Ｓ１３）設定が完了する。
【００８０】
また、サーバよりＰｉｎｇコマンドに対する返答が得られなければ（Ｓ１２で「Ｎｏ」へ進む）、ＩＰアドレスの取得に失敗ということになる（Ｓ１４）。このように、全ての手法を使ってもＩＰアドレスの取得ができなかったときは、ＩＰアドレスの取得失敗として本フローの処理を終了する。
【００８１】
図６は、図１のシステム構成の変形例を示す。同図のように、院内ＬＡＮ８にはＰＣ端末９のみを接続し、ＰＣ端末９と医療機器端末１間で院内ＬＡＮ８とは独立したプライベートネットワーク８ａを構成する接続でも良い。すなわち、異なるセグメント間においても本実施形態は適用することができる。なお、ＤＨＣＰサーバ７は、画像サーバと兼用のものでもよい。
【００８２】
以上より、医療機器端末自身が、ＤＨＣＰ、手入力済みの固定ＩＰアドレス、デフォルトのＩＰアドレスを順に確認してネットワークへのログインを実行するから、その医療機器端末の利用者は接続先を意識する必要がなくなる。また、ＩＰアドレス設定に要する時間と手間を短縮することができる。
【００８３】
＜第２の実施形態＞
図７は、本実施形態におけるシステムの構成の概要を示す。本実施形態では、第１の実施形態の医療機器端末１に、さらにメッセージ設定手段２０を追加した構成になっている。
【００８４】
メッセージ設定手段２０は、医療機器端末１と無線または有線により直接接続されている外部機器のモニタ上に、例えば「ＩＰアドレスの取得に失敗しました」などのＩＰアドレスの取得に関するメッセージを表示させるための設定（表示するメッセージの文面、表示タイミング  等）を行う。メッセージの表示は、ＩＰアドレス取得手段２により指示される。
【００８５】
本実施形態も、第１の実施形態と同様に、医療機器端末１に外部機器（例えばＰＣ端末等）を無線または有線により接続して、その外部機器から医療機器端末１の記憶手段６に記憶されている所定のプログラムを起動させる命令をする。そうすると、その命令を受信した医療機器端末１の制御装置は、記憶手段６から本実施形態にかかるプログラムを読み出し、このプログラムを起動させる。このプログラムを読み込んだ制御装置が図８のフローに従い、処理を実行する。なお、外部機器のモニタ上に以下で説明する画面が表示される。
【００８６】
なお、医療機器端末１に情報入力手段（キーボード、マウス、ポインティングディバイス、タッチパネル等）や表示手段（ディスプレイ等）を設け、第１の実施形態と同様に、医療機器端末１からＩＰアドレス取得の設定を行っても良い。
【００８７】
図８は、本実施形態におけるＩＰアドレス取得時のメッセージの表示タイミングを示すフローチャートである。本フローは、図２のフローに処理Ｓ２１，Ｓ２２，２３，Ｓ２４を追加したものである。以下では、本フローを参照しながら、図９〜図２５を説明する。
【００８８】
まず、ユーザは、ＩＰアドレスの切り替え順の設定（図３，図４参照）と、表示するメッセージの設定を行う（Ｓ２１）。ＩＰアドレスの切り替え順の設定は、第１の実施形態と同様であるので、本実施形態では表示するメッセージの設定について説明する。
【００８９】
図９は、本実施形態におけるメッセージ表示設定ウィンドウ３０を示す。メッセージ表示設定ウィンドウ３０は、メッセージ設定手段２０に相当する。メッセージ表示設定ウィンドウ３０は、表示タイミングメッセージ一覧３１と、追加ボタン３２と、ＯＫボタン３３と、ＣＡＮＣＥＬボタン３４とから構成される。
【００９０】
表示タイミングメッセージ一覧３１は、リストボックス「表示タイミング」３１ａと、テキストフィールド「表示メッセージ」３１ｂと、テキストフィールド「表示時間」３１ｃから構成される。そして、一覧内の各レコードに対応する削除ボタン３１ｄが設けてある。
【００９１】
リストボックス「表示タイミング」３１ａでは、表示するタイミングをリストボックスから選択することができる。リストボックス内の選択肢については後述する。テキストフィールド「表示メッセージ」３１ｂには、リストボックス「表示タイミング」３１ａで選択した表示タイミングで表示させるメッセージ内容をフリーテキストで入力することができる。テキストフィールド「表示時間」３１ｃには、表示メッセージを表示する時間や方法を指定することができる。
【００９２】
追加ボタン３２を押下すると、表示タイミングメッセージ一覧３１のレコードを追加することができる（図１０参照）。削除ボタン３１ｄを押下すると、当該削除ボタン３１ｄに対応する表示タイミングメッセージ一覧３１のレコードが削除される（図１１参照）。
【００９３】
ＯＫボタン３３を押下すると、表示タイミングメッセージ一覧３１で設定した内容を記憶手段６に登録することができる。ＣＡＮＣＥＬボタン３４を押下すると、表示タイミングメッセージ一覧３１の変更を記憶手段６に登録せずに終了する。
【００９４】
メッセージ表示設定ウィンドウ３０では、「表示タイミング」３１ａで設定したタイミングに、「表示メッセージ」３１ｂに入力した内容を「表示時間」３１ｃで設定した条件で表示する設定を行う。「表示メッセージ」３１ｂや「表示時間」３１ｃの入力は、外部機器の入力手段から行うが、医療機器端末１に入力手段（キーボード、マウス等）がある場合には医療機器端末１から入力してもよい。
【００９５】
図１０は、図９で追加ボタン３２を押下した場合のメッセージ表示設定ウィンドウ３０を示す。図９と比べて、表示タイミングメッセージ一覧３１のレコードが追加されている。
【００９６】
図１１は、図９で削除ボタン３１ｄを押下した場合のメッセージ表示設定ウィンドウ３０を示す。図９と比べて、表示タイミングメッセージ一覧３１のレコードが削除されている。
【００９７】
図１２は、表示タイミングメッセージ一覧３１に設定情報を入力した後のメッセージ表示設定ウィンドウ３０を示す。それでは、表示タイミングメッセージ一覧３１で設定する各項目について、図１３及び図１４を用いて説明する。
【００９８】
図１３は、リストボックス「表示タイミング」３１ａで選択できる項目の一例を示す。リストボックス「表示タイミング」３１ａで「手法１開始時」を選択した場合、手法１でＩＰアドレスの取得を試みる前にメッセージを表示することができる。「手法１成功時」を選択した場合、手法１でＩＰアドレスの設定が成功したときにメッセージを表示することができる。「手法１失敗時」を選択した場合、手法１でＩＰアドレスの設定ができなかったときにメッセージを表示することができる。
【００９９】
「手法２開始時」を選択した場合、手法２でＩＰアドレスの取得を試みる前にメッセージを表示することができる。「手法２成功時」を選択した場合、手法２でＩＰアドレスの設定が成功したときにメッセージを表示することができる。
【０１００】
なお、手法１、手法２はそれぞれ、ＩＰアドレス取得方法設定ウィンドウ１０（図３，図４）の設定方法一覧１１の「設定方法１」（１行目のレコード）、「設定方法２」（２行目のレコード）に対応する。
【０１０１】
図１４は、テキストフィールド「表示時間」３１ｃで設定できる数値の一例を示す。このテキストフィールド「表示時間」３１ｃの設定値によって、メッセージウィンドウの種類や表示時間を調整することができる。
【０１０２】
テキストフィールド「表示時間」３１ｃに「−１」を設定した場合、ＯＫボタン及びＣＡＮＣＥＬボタン付きメッセージウィンドウを表示することができる。テキストフィールド「表示時間」３１ｃに「０」を設定した場合、ＯＫボタン付きメッセージウィンドウを表示することができる。テキストフィールド「表示時間」３１ｃに１以上の値を設定した場合、その設定した値を秒数とみなして、その指定秒数だけメッセージウィンドウを表示することができる。
【０１０３】
このように、設定可能な数値は−１以上の整数のみであり、これ以外の数値を入力してＯＫボタン３３を押下した場合、図１５に示すようなエラーメッセージを表示して、その入力による変更を反映させない。また、図１４の設定値に基づいて表示されるメッセージの一例を図１６〜図１８に示す。
【０１０４】
図１５は、本実施形態におけるエラーメッセージ４０の一例を示す。メッセージウィンドウ４０には、「「表示時間」の設定値が不適切です。」旨のエラーメッセージが表示される。ＯＫボタン４１を押下すると、メッセージウィンドウ４０は閉じる。
【０１０５】
図１６は、「表示時間」３１ｃに１以上（例えば、「５」）を設定した場合のメッセージウィンドウ４２を示す。「表示時間」３１ｃに１以上（例えば、「５」）が設定されているため、メッセージウィンドウ４２は、その指定された秒数（この場合には、５秒）だけ表示され、指定された秒数経過後、メッセージウィンドウ４２は閉じる。メッセージとしては、「ＤＨＣＰでＩＰアドレスの取得を行います。」が表示されている。
【０１０６】
図１７は、「表示時間」３１ｃに「０」を設定した場合のメッセージウィンドウ４３を示す。「表示時間」３１ｃに「０」が設定されているため、メッセージウィンドウ４３は、ＯＫボタン付きメッセージウィンドウとして表示されている。ＯＫボタン４４を押下すると、メッセージウィンドウ４３は閉じる。メッセージとしては、「ＩＰアドレスの取得に成功しました。」が表示されている。
【０１０７】
図１８は、「表示時間」３１ｃに「−１」を設定した場合のメッセージウィンドウ４５を示す。「表示時間」３１ｃに「−１」が設定されているため、メッセージウィンドウ４５は、ＯＫボタン及びＣＡＮＣＥＬボタン付きメッセージウィンドウとして表示されている。ＯＫボタン４６を押下すると、メッセージの内容の処理を続行することができる。ＣＡＮＣＥＬボタン４７を押下すると、メッセージの内容の処理を中止することができる。メッセージとしては、「ＩＰアドレスの取得に失敗しました。設定を続ける場合は「ＯＫ」ボタンを押してください」が表示されている。ＯＫボタン４６またはＣＡＮＣＥＬボタン４７の押下後、メッセージウィンドウ４５は閉じる。
【０１０８】
このような図１６、図１７、図１８で示したメッセージがそれぞれ、リストボックス「表示タイミング」３１ａで設定したタイミング（図８のＳ２２，Ｓ２３，Ｓ２４）で表示される。
【０１０９】
また、ＤＨＣＰを使って取得できるＩＰアドレスなど毎回結果が変わる情報をキーワードとして表示メッセージに含めることもできる（図１９）。このキーワードについて以下で説明する。
【０１１０】
図１９は、テキストフィールド「表示メッセージ」３１ｂにキーワードを設定した場合のメッセージ表示設定ウィンドウ３０を示す。同図に示すように、テキストフィールド「表示メッセージ」３１ｂには、「￥」マーク付き文字又は文字列（「￥ＳＥＴ１」等）等のキーワードを設定することができる。このようなキーワードを使って、ユーザは表示メッセージを作成することができる。
【０１１１】
なお、キーワードと、それ以外の文字列とを判別しやすいように、キーワード部分の色を変えたり（例えば、青字、赤字  等）、太字にしたり、下線を引いたり、斜体文字にしたり、強調したり、反転させたり、特定のマークにしたり等してその表示態様を変えても良い。本実施形態におけるキーワードの一例を図２０で説明する。
【０１１２】
図２０は、テキストフィールド「表示メッセージ」３１ｂに設定することができるキーワードの一例を示す。テキストフィールド「表示メッセージ」３１ｂにメッセージを入力する際に、そのメッセージの一部または全部にキーワードを挿入しておくと、実際にメッセージウィンドウとして表示されたときに、そのキーワード部分がそれに対応する値に置換（自動挿入）されて表示される。設定するキーワードに応じて、自動挿入される文字または文字列が異なる。
【０１１３】
キーワード「￥ＳＥＴ１」をテキストフィールド「表示メッセージ」３１ｂに設定した場合、ＩＰアドレスの取得方法１に設定した手法の名称がそのキーワードに相当する位置に自動挿入される。
【０１１４】
キーワード「￥ＳＥＴ２」をテキストフィールド「表示メッセージ」３１ｂに設定した場合、ＩＰアドレスの取得方法２に設定した手法の名称がそのキーワードに相当する位置に自動挿入される。
【０１１５】
キーワード「￥ＳＥＴ３」をテキストフィールド「表示メッセージ」３１ｂに設定した場合、ＩＰアドレスの取得方法３に設定した手法名称がそのキーワードに相当する位置に自動挿入される。
【０１１６】
キーワード「￥ＩＰ」をテキストフィールド「表示メッセージ」３１ｂに設定した場合、取得に成功したＩＰアドレスがそのキーワードに相当する位置に自動挿入される。
キーワード「￥ＳＩＰ」をテキストフィールド「表示メッセージ」３１ｂに設定した場合、固定ＩＰアドレスに設定しているＩＰアドレスがそのキーワードに相当する位置に自動挿入される。
【０１１７】
キーワード「￥ＤＩＰ」をテキストフィールド「表示メッセージ」３１ｂに設定した場合、工場出荷時に設定しているＩＰアドレスがそのキーワードに相当する位置に自動挿入される。
【０１１８】
キーワード「￥ＯＫ」をテキストフィールド「表示メッセージ」３１ｂに設定した場合、「「ＯＫ」ボタン」がそのキーワードに相当する位置に自動挿入される。キーワード「￥ＣＳＬ」をテキストフィールド「表示メッセージ」３１ｂに設定した場合、「「ＣＡＮＣＥＬ」ボタン」がそのキーワードに相当する位置に自動挿入される。
【０１１９】
これらのキーワードを使って表示されたメッセージウィンドウの一例を、図２１〜図２３に示す。なお、メッセージウィンドウ内では、キーワードにより自動挿入された部分が太字で表示される。
【０１２０】
図２１は、図１９の表示タイミングメッセージ一覧３１の１行目のレコードに基づいて表示されたメッセージウィンドウを示す。同図では、キーワード「￥ＳＥＴ１」の設定に基づいて、「ＤＨＣＰ」が自動挿入され、太字で表示されている。
【０１２１】
図２２は、図１９の表示タイミングメッセージ一覧３１の２行目のレコードに基づいて表示されたメッセージウィンドウを示す。同図では、キーワード「￥ＩＰ」の設定に基づいて、「１９２．１６８．１０．１０」が自動挿入され、太字で表示されている。
【０１２２】
図２３は、図１９の表示タイミングメッセージ一覧３１の３行目のレコードに基づいて表示されたメッセージウィンドウを示す。同図では、キーワード「￥ＳＥＴ２」の設定に基づいて、「固定ＩＰアドレス」が自動挿入され、太字で表示されている。また、キーワード「￥ＳＩＰ２」の設定に基づいて、「１９２．１６８．１０．９９」が自動挿入され、太字で表示されている。また、キーワード「￥ＯＫ」の設定に基づいて、「「ＯＫ」ボタン」が自動挿入され、太字で表示されている。また、キーワード「￥ＣＳＬ」の設定に基づいて、「「ＣＡＮＣＥＬ」ボタン」が自動挿入され、太字で表示されている。
【０１２３】
なお、図２３のメッセージを表示させる場合、テキストフィールド「表示メッセージ」３１ｂには、図２４の文面にする。このとき、「￥ＳＩＰ」に基づいて固定ＩＰアドレスを自動挿入する場合には、ＩＰアドレス取得方法設定ウィンドウ１０を図２５のように設定しておく必要がある。
【０１２４】
図２５は、テキストフィールド「ＩＰアドレス」１１ｂにＩＰアドレスを設定した場合のＩＰアドレス取得方法設定ウィンドウ１０を示す。テキストフィールド「ＩＰアドレス」１１ｂにＩＰｖ４やＩＰｖ６形式でＩＰアドレスを入力していないと、メッセージ表示設定ウィンドウ３０のテキストフィールド「表示メッセージ」３１ｂ中のテキストに「￥ＳＩＰ」を挿入しても、ＩＰアドレスは挿入されない。
【０１２５】
なお、テキストフィールド「表示メッセージ」３１ｂへのメッセージの入力は、外部機器からメッセージを入力するが、医療機器端末が入力手段を持っている場合は、入力手段からメッセージを入力してもよい。
【０１２６】
以上より、固定のメッセージではなく、そのネットワーク環境に適応した可変のメッセージをユーザに提示することができるので、例えばユーザはネットワークへの接続障害に関して詳細な情報を得ることができる。それにより、ユーザがその障害に対応しやすくなる。
【０１２７】
＜第３の実施形態＞
第１の実施形態では、ＩＰアドレス取得方法として、「手順１：ＤＨＣＰ設定」、「手順２：固定ＩＰアドレス（手入力）」、「手順３：工場出荷時に設定されたデフォルトＩＰ（例えば、１９２．１６８．１．１０）」を用いたが、本実施形態ではさらに、「手順４．その場でＩＰアドレスを手入力」というＩＰアドレス取得方法を提供する。本実施形態のシステム構成は、第１または第２の実施形態と同様である。
【０１２８】
図２６は、本実施形態におけるＩＰアドレスの取得処理のフローを示す。本実施形態も第１または第２の実施形態と同様に、医療機器端末１に外部機器（例えば、ＰＣ端末、携帯端末  等）を接続して、その外部機器から医療機器端末１の記憶手段６に記憶されている所定のプログラムを起動させる命令をする。そうすると、その命令を受信した医療機器端末１の制御装置は、記憶手段６から本実施形態にかかるプログラムを読み出し、このプログラムを起動させる。このプログラムを読み込んだ制御装置が図２６のフローに従い、処理を実行する。なお、外部機器のモニタ上に以下で説明する画面が表示される。以下では、本フローを参照しながら図２７〜図２９を説明する。
【０１２９】
まずは、表示するＩＰアドレスの切り替え順の設定（図２６）と、表示するメッセージの設定（図９，図１２，図１３，図１４）を行う（Ｓ３１）。Ｓ３１は、図８のＳ２１と同様の処理を行う。異なるのは、図２７で説明するように、リストボックス「設定方法」１１ａで「手入力」を選択することである。この手順４のＩＰアドレス取得方法は、以下に示すタイミングで、ＩＰアドレスを入力することをメッセージで促す。
【０１３０】
図２７は、Ｓ３１での表示するＩＰアドレスの切り替え順の設定をするＩＰアドレス取得方法設定ウィンドウ１０を示す。同図では、図４に比べ設定方法一覧１１の４行目にレコードが追加されている。その４行目のレコードのリストボックス「設定方法」１１ａは「手入力」（ＩＰアドレスを手入力）が選択されている。
【０１３１】
Ｓ３１の設定後、手法１〜手法３を用いてＩＰアドレスを取得することができない場合（図４のＳ２〜Ｓ１２及びＳ１４）、制御装置は、Ｓ２で読み込んだＩＰアドレス取得方法のうち４番目の優先順位のものを判別する（Ｓ３２）。本実施形態では、Ｓ３１で設定したように、４番目の優先順位のＩＰアドレス取得方法として「ＩＰアドレスを手入力」が設定されていることを制御装置は判別する。
【０１３２】
そうすると、図２８に示すように、「ＩＰアドレスを手入力してください」旨のメッセージが表示された手入力指示メッセージウィンドウが表示される（Ｓ３３）。
図２８は、本実施形態におけるＩＰアドレスの手入力指示メッセージウィンドウ５０を示す。手入力指示メッセージウィンドウ５０は、テキストフィールド５１、ＯＫボタン５２、ＣＡＮＣＥＬボタン５３から構成される。
【０１３３】
テキストフィールド５１には、ＩＰアドレスが入力される。ＯＫボタン５２を押下すると、テキストフィールド５１に入力したＩＰアドレスを本発明にかかるネットワークシステムに反映させ、当該手入力指示メッセージウィンドウ５０を閉じる。このとき、テキストフィールド５１に入力したＩＰアドレスがＩＰｖ４またはＩＰｖ６形式に沿わないフォーマットの場合にはエラーメッセージを表示する（図５参照）。
【０１３４】
ＣＡＮＣＥＬボタン５３を押下すると、手入力でＩＰアドレスを設定することを中止し、当該手入力指示メッセージウィンドウ５０を閉じる。
なお、テキストフィールド５１へのＩＰアドレスの入力は、外部機器からＩＰアドレスを入力するが、医療機器端末１に入力手段があるときにはその入力手段から手入力で入力してもよい。
【０１３５】
さて、ＯＫボタン５２を押下すると、制御装置はテキストフィールド５１に所定の文字列が入力されているか否かを判断する（Ｓ３４）。ＩＰアドレスが未入力であると判断した場合（Ｓ３４で「ＮＯ」へ進む）、制御装置は再度手入力指示メッセージウィンドウ５０を表示させる（Ｓ３３）。
【０１３６】
ＩＰアドレスが入力されていると判断した場合（Ｓ３４で「ＹＥＳ」へ進む）、制御装置はその入力されたＩＰアドレスのフォーマットが適切か否かを判断する（Ｓ３５）。例えば、テキストフィールド５１に入力されたＩＰアドレスがＩＰｖ４またはＩＰｖ６形式に沿わないフォーマットの場合には（Ｓ３５で「ＮＯ」へ進む）、制御装置はエラーメッセージ（図５参照）を表示させ、再度手入力指示メッセージウィンドウ５０を表示させる（Ｓ３３）。
【０１３７】
テキストフィールド５１に入力されたＩＰアドレスが適切であると判断した場合（Ｓ３５で「ＹＥＳ」へ進む）、制御装置はその手入力されたＩＰアドレスを読み込んで設定する。その後、制御装置は、医療機器端末１から所定のサーバにＰｉｎｇなどのコマンドを送信する（Ｓ３６）。
【０１３８】
そのサーバからＰｉｎｇコマンドに対する返答が得られれば（Ｓ３７で「ＹＥＳ」へ進む）、制御装置はＩＰアドレスの取得に成功したと判断して（Ｓ３８）、本フローは終了する。このとき制御装置により図１７のメッセージウィンドウを表示させるようにしてもよい。
【０１３９】
また、そのサーバよりＰｉｎｇコマンドに対する返答が得られなければ（Ｓ３７で「Ｎｏ」へ進む）、ＩＰアドレスの取得に失敗ということになる（Ｓ３９）。このように、全ての設定方法を使ってもＩＰアドレスの取得ができなかったときは、ＩＰアドレスの取得失敗として本フローの処理を終了する。
【０１４０】
図２９は、図２８のフローにより入力されたＩＰアドレスが設定された場合のＩＰアドレス取得方法設定ウィンドウ１０を示す。図２７と比較すると、図２９では、「２：固定ＩＰ」のテキストフィールド「ＩＰアドレス」１１ｂに「１９２：１６８：１０：９９」が入力されている。
【０１４１】
このように、リストボックス「設定方法」１１ａで「固定ＩＰ」が選択されているにもかかわらず、そのテキストフィールド「ＩＰアドレス」１１ｂに何も入力されていない場合、図２８のフローにより入力されたＩＰアドレスが次回以降、図２９のように手順２の固定ＩＰアドレスとして設定される。
【０１４２】
また、リストボックス「設定方法」１１ａで「固定ＩＰ」が選択され、そのテキストフィールド「ＩＰアドレス」１１ｂに既にＩＰアドレスが入力されている場合には、例えば手順４で入力したＩＰアドレスは手順２の固定ＩＰアドレスとして設定されず、今回限りの設定となる。したがって、この場合、手順４で入力したＩＰアドレスは、ＩＰアドレス取得方法設定ウィンドウ１０上には表示されない。なお、これに限定されず、手順４で入力したＩＰアドレスを次回以降の手順２の固定ＩＰアドレスとして設定してもよい。
【０１４３】
以上より、「手順１：ＤＨＣＰ設定」、「手順２：固定ＩＰアドレス（手入力）」、「手順３：工場出荷時に設定されたデフォルトＩＰ」の手順によりＩＰアドレスが取得できなかった場合、即時、手入力を促すメッセージウィンドウが表示されるので、一度ＩＰアドレス取得の処理を終了後に再設定する場合と比べて、ユーザの作業工数を省くことができる。
【０１４４】
以上の第１、第２、及び第３の実施形態によれば、ＤＨＣＰ、入力固定アドレス、デフォルトアドレスなどを順番に確認することにより、接続環境に合致したＩＰアドレスを設定することができる。また、マシンをＬＡＮ環境で利用したり、ＤＨＣＰの存在しないプライベートアドレス環境で利用したりする際に、特別の設定を行わずに利用することができる。
【０１４５】
また、医療機器をネットワークに接続する際に、ネットワークアドレスを取得する方法の設定に要する時間と手間を省くことができる。
なお、第１、第２、及び第３の実施形態では、ＬＡＮ（Ｌｏｃａｌ  Ａｒｅａ  Ｎｅｔｗｏｒｋ）環境下を例にして説明したが、ＷＡＮ（Ｗｉｄｅ  Ａｒｅａ  Ｎｅｔｗｏｒｋ）、インターネット、イントラネット、エクストラネット、またはその他のネットワーク形態でも適用することができる。また、本発明で取得するネットワークアドレスは、ＩＰアドレスに限定されず、例えばＭＡＣ（Ｍｅｄｉａ  Ａｃｃｅｓｓ  Ｃｏｎｔｒｏｌ）アドレス等のようにネットワーク上の論理的な位置を特定する情報であるネットワークアドレスであればよい。
【０１４６】
また、本発明では、通信プロトコルもＩＰに限定されない。本発明では、ネットワークを介して端末間で通信可能となるあらゆる通信プロトコルに適用することができる。また、本発明では、医療機器以外の機器に適用してもよい。また、本発明では、ネットワークへは有線または無線を用いて接続してもよい。
【図面の簡単な説明】
【０１４７】
【図１】第１の実施形態におけるシステム構成の概要を示す。
【図２】第１の実施形態におけるＩＰアドレスの取得処理のフローを示す。
【図３】第１の実施形態におけるＩＰアドレス取得方法設定ウィンドウ１０を示す。
【図４】リストボックス「設定方法」１１ａでＩＰアドレス取得方法を選択したときのＩＰアドレス取得方法設定ウィンドウ１０の表示例を示す。
【図５】第１の実施形態におけるエラーメッセージの一例を示す。
【図６】図１のシステム構成の変形例を示す。
【図７】第２の実施形態におけるシステムの構成の概要を示す。
【図８】第２の実施形態におけるＩＰアドレス取得時のメッセージの表示タイミングを示すフローチャートである。
【図９】第２の実施形態におけるメッセージ表示設定ウィンドウ３０を示す。
【図１０】図９で追加ボタン３２を押下した場合のメッセージ表示設定ウィンドウ３０を示す。
【図１１】図９で削除ボタン３１ｄを押下した場合のメッセージ表示設定ウィンドウ３０を示す。
【図１２】表示タイミングメッセージ一覧３１に設定情報を入力した後のメッセージ表示設定ウィンドウ３０を示す。
【図１３】リストボックス「表示タイミング」３１ａで選択できる項目の一例を示す。
【図１４】テキストフィールド「表示時間」３１ｃで設定できる数値の一例を示す。
【図１５】第２の実施形態におけるエラーメッセージ４０の一例を示す。
【図１６】「表示時間」３１ｃに１以上（例えば、「５」）を設定した場合のメッセージウィンドウ４２を示す。
【図１７】「表示時間」３１ｃに「０」を設定した場合のメッセージウィンドウ４３を示す。
【図１８】「表示時間」３１ｃに「−１」を設定した場合のメッセージウィンドウ４５を示す。
【図１９】テキストフィールド「表示メッセージ」３１ｂにキーワードを設定した場合のメッセージ表示設定ウィンドウ３０を示す。
【図２０】テキストフィールド「表示メッセージ」３１ｂに設定することができるキーワードの一例を示す。
【図２１】図１９の表示タイミングメッセージ一覧３１の１行目のレコードに基づいて表示されたメッセージウィンドウを示す。
【図２２】図１９の表示タイミングメッセージ一覧３１の２行目のレコードに基づいて表示されたメッセージウィンドウを示す。
【図２３】図１９の表示タイミングメッセージ一覧３１の３行目のレコードに基づいて表示されたメッセージウィンドウを示す。
【図２４】図２３のメッセージを表示させる場合、テキストフィールド「表示メッセージ」３１ｂに入力される文面を示す。
【図２５】テキストフィールド「ＩＰアドレス」１１ｂにＩＰアドレスを設定した場合のＩＰアドレス取得方法設定ウィンドウ１０を示す。
【図２６】第３の実施形態におけるＩＰアドレスの取得処理のフローを示す。
【図２７】Ｓ３１での表示するＩＰアドレスの切り替え順の設定をするＩＰアドレス取得方法設定ウィンドウ１０を示す。
【図２８】第３の実施形態におけるＩＰアドレスの手入力指示メッセージウィンドウ５０を示す。
【図２９】図２８のフローにより入力されたＩＰアドレスが設定された場合のＩＰアドレス取得方法設定ウィンドウ１０を示す。
【図３０】従来におけるＤＨＣＰサーバ１０１がある場合のＩＰアドレスの取得方法を説明するためのネットワーク構成図である。
【図３１】従来におけるＤＨＣＰサーバ１０１がない場合のＩＰアドレスの取得方法を説明するためのネットワーク構成図である。
【図３２】従来における手動でＩＰアドレスを設定する方法を説明するためのネットワーク構成図である。
【符号の説明】
【０１４８】
１      医療機器端末
２      ＩＰアドレス取得手段
３      ＩＰアドレス取得方法切り替え手段
４      ＩＰアドレス取得制御手段
５      切り替え順設定手段
６      記憶手段
７      ＤＨＣＰサーバ
８      院内ＬＡＮ
８ａ    プライベートネットワーク
９      ＰＣ端末
２０    メッセージ設定手段
【図１】
2006261864.tif 000003
【図２】
2006261864.tif 000004
【図３】
2006261864.tif 000005
【図４】
2006261864.tif 000006
【図５】
2006261864.tif 000007
【図６】
2006261864.tif 000008
【図７】
2006261864.tif 000009
【図８】
2006261864.tif 000010
【図９】
2006261864.tif 000011
【図１０】
2006261864.tif 000012
【図１１】
2006261864.tif 000013
【図１２】
2006261864.tif 000014
【図１３】
2006261864.tif 000015
【図１４】
2006261864.tif 000016
【図１５】
2006261864.tif 000017
【図１６】
2006261864.tif 000018
【図１７】
2006261864.tif 000019
【図１８】
2006261864.tif 000020
【図１９】
2006261864.tif 000021
【図２０】
2006261864.tif 000022
【図２１】
2006261864.tif 000023
【図２２】
2006261864.tif 000024
【図２３】
2006261864.tif 000025
【図２４】
2006261864.tif 000026
【図２５】
2006261864.tif 000027
【図２６】
2006261864.tif 000028
【図２７】
2006261864.tif 000029
【図２８】
2006261864.tif 000030
【図２９】
2006261864.tif 000031
【図３０】
2006261864.tif 000032
【図３１】
2006261864.tif 000033
【図３２】
2006261864.tif 000034
【手続補正書】
【提出日】平成17年4月14日(2005.4.14)
【手続補正１】
【補正対象書類名】明細書
【補正対象項目名】００６７
【補正方法】変更
【補正の内容】
【００６７】
なお、ＩＰｖ４とは、ＩＰアドレスを例えば１９２．１６８．１０．１のような８ビットの１０進数（数字０〜２５５）を４つの区切りにし、合計で３２ｂｉｔのアドレス空間で表現する方法をいう。ＩＰｖ６とは、ＩＰアドレスを例えば３ａｅ３：９０ａ０：ｂｄ０５：０１ｄ２：２８８ａ：１ｆｃ０：０００１：１０ｅｅのような、８つの区切りに分けて、各区切りを１６ｂｉｔ単位で表現する方法であり、合計で１２８ｂｉｔのアドレス空間で表現される。
【手続補正２】
【補正対象書類名】明細書
【補正対象項目名】００８７
【補正方法】変更
【補正の内容】
【００８７】
図８は、本実施形態におけるＩＰアドレス取得時のメッセージの表示タイミングを示すフローチャートである。本フローは、図２のフローに処理Ｓ２１，Ｓ２２，Ｓ２３，Ｓ２４を追加したものである。以下では、本フローを参照しながら、図９〜図２５を説明する。